(57)【要約】      （修正有）【課題】バインディングクリップのピンのハンドルが突き出て使用が不便なことを改良するバインディングクリップを提供する。【解決手段】事務用バインディングクリップに関し、金属弾性鋼材で作られたボディ１０の先端に形成されていたヒンジ部の位置をボディの中央に形成してテコの役割をするハンドルピン２０をスライディング開閉する方式に切り替えることで、書類をクリップ間に挟み込む時はピンを引き上げハンドルの役割をするようにして、紙を挟んだ後は溝の下に押し下げハンドルが突出しないようにすることで、書類の収納や保管の利便性を改良させることを特徴とする。【選択図】図２
2018024233.tif 000002
【特許請求の範囲】
【請求項１】
弾性の優れた薄い板材を曲げ両端部が互いに当接するように二等辺三角形の形状で中央部分に弾性屈曲部を形成させたボディ；前記ボディの両側の平坦面上に任意の点を曲げ加工して、ピンが挿入されるよう作られた締結部；前記ボディの締結部に締結されてテコの原理によって当接部を広げるために剛性の大きい金属ピンを加工して作られる一対のハンドル部材から構成されているクリップとして、クリップの当接部を開・閉しようとするときは、ハンドル部材を締結部より引いて突出させ、ハンドル部材を使用しないときは下側に挿入させてピンの突出部が最小化されるよう作られたことを特徴とするハンドル挿入式バインディングクリップ。
【請求項２】
請求項１のハンドル挿入式バインディングクリップであって、
本体に形成される締結部は、中央部に曲がっている弾性屈曲部と当接部との間にある平坦な加圧面上の側面または奥面の任意の地点に形成されなければならないし、加圧面の縦中心線を基準に左右の両方に「11字形」に平行に並べることで、溝または円筒形の穴に沿ってハンドル部材が平行に上・下に移動できるように溝、サポートまたはラッチの形状に加工しなければならないし、内部に挿入されたピンハンドル部材が平行に直線往復運動をできるように作られたことを特徴とするハンドル挿入式バインディングクリップ。
【請求項３】
請求項２のハンドル挿入式バインディングクリップであって、
ハンドル部材は挿入時に突出する部位を最小化するために、ボディの長さ、すなわち、平坦な加圧面区間の長さと近いサイズを有するように設計することが望ましく、手動操作によって突出と挿入を繰り返すとき、締結部より離脱を防止するために先端部分を屈曲させたり、凹凸を形成させたりすることを特徴とするハンドル挿入式バインディングクリップ。
【請求項４】
請求項１のハンドル挿入式バインディングクリップであって、
クリップ本体の末端部の紙当接部の先端は、内部に曲がるように「Ｕ」字形に屈曲処理したり、階段型の屈曲を形成したりして内側のヒンジまたは挿入ピン等によって、紙やクリップ挿入物が引っかからないように作られることを特徴とするハンドル挿入式バインディングクリップ。
【請求項５】
請求項２のハンドル挿入式バインディングクリップであって、
締結部のピンが挿入される入口は、ハンドル部材を組み立て時にピンが円滑に挿入されるようするために、少しの傾きを持つように加工しなければならないし、逆に出口側はハンドルピンが突出時に離脱を防止するために、ピンの先端の屈曲部または凹凸部が簡単抜け出ないように角張ったり先端が引っかかったりするように形状が形成されることを特徴とするハンドル挿入式バインディングクリップ。
【請求項６】
請求項１のハンドル挿入式バインディングクリップであって、
クリップ本体の末端部の紙に当接する部分の角及び辺の形状は、円形、三角形、四角形、波状、楕円形、ハート型などの形状に加工できることを特徴とする挿入式バインディングクリップ。
【発明の詳細な説明】
【技術分野】
【０００１】
本発明は書類を分けて綴じることに使う事務用クリップに関することで、従来のバインディングクリップと通称されるフォルダ型クリップの最大の欠点であったハンドルピンの突出問題を改良して、本体とハンドル部材の締結方法をピボット結合方式より挿入方式に変更した新しい構造のクリップのことである。
【背景技術】
【０００２】
従来の事務用バインディングクリップの一般形状は、曲げ加工によって二等辺三角形の形状に作られた本体が備えられ、ハンドルピンと締結されているピボット結合部が上・下本体の先端に形成されて、紙を押してくれる役割を兼ねるようになっている。
【０００３】
前記本体の先端に形成されるピボット結合部は、曲がったピンの両端が挿入され離脱しないように左側と右側にヒンジ部が形成されて、中央部分は紙を挿入する時に引っかからないようにヒンジ部と類似した形状に丸め処理が施されている。
【０００４】
しかし、このような一般的なクリップ構造において、ヒンジの両端の角部は丸め形状に加工されているとは言うが、突き出ているため、紙が簡単に破れたりして、複数の書類綴じを積み重ねる場合、ヒンジ部に引っかかる問題がよく発生する。
【０００５】
また、押さえハンドルピンはテコの役割をしなければならないため、構造的に外へ突出されて引っかかる問題があり、その問題を軽減するために、下側に回転させて保管することもあるが、書類を閲覧したり広げておいたりする場合は、ピンに引っかかって不便さをもたらすことになる。つまり、ハンドルピンがボディに比べて大きいため、書類をバインディングした後、ユーザーが書類を捲るたびに書類がピンに引っかかってあまり捲らない問題があった。
【０００６】
このような不便さがあったため、場合によっては、ハンドルピンを別々に分離させて保管したりするが、これは必要時に再結合することがとても面倒臭く、間違ったら紛失することもあるという問題点があった。
【発明の概要】
【発明が解決しようとする課題】
【０００７】
前記のような従来のバインディングクリップは、テコの原理を適用した単純な構造で作られているが、力点と作用点、そして支点との間での間隔が遠いため、書類をバインディングした状態で、その上・下の方向にハンドルピンが不要に突出されるので、多数の書類を積み重ねて保管したりするなど、取り扱い時に不便さがあった。
【０００８】
本発明は、そのような問題を解決するために発明されており、特に従来の方式ではヒンジが本体先端の紙の当接部または圧迫部に形成されていた構造を変更することで、紙の当接部の形状とデザインがもっと多様に作られるようにする改良された構造のバインディングクリップを提供することを主な目的とする。
【課題を解決するための手段】
【０００９】
前記の問題を解決するために、本発明のフォルダ型バインディングクリップは、
一つのボディから構成され、薄く細長い弾性材料を上・下の二等辺三角形の対称的な曲げ加工で弾性を発生させ、上・下の両面に締結される押さえハンドルピンを押した時にテコの原理によって上・下部が開・閉されながら動作する本体と；
前記本体の上・下の対称面の中央部にパンチングによって切開され左・右側に平行にスライディングラッチの形状に形成された一対の溝を介してハンドルピンと締結されているガイド溝と；
前記ガイド溝を介して11字形に平行に挿入される一対のハンドルピン；から構成されて、書類をバインディングする時はハンドルピンを上向きに突出させ、指の当接力の向上とテコの力点の役割を十分行うようにして、紙をクリップに位置させた後は、ガイド溝の中にハンドルピンを下向き挿入させて保管する時、または書類を広げる時に引っかからないようにすることを特徴とするバインディングクリップを課題解決のための主な手段とする。
【００１０】
本発明は、前記の課題をより効果的に解決するために、ハンドルピンの長さを本体の長さと類似した程度に縮小させたことを特徴とするバインディングクリップを提供するが、この時、テコの作用点の役割をするスライディングラッチは、本体の紙の当接面の上端に位置するので、支点の役割を行う本体の屈曲部との距離が減り、ハンドルピンの長さが大幅に減少したことにもかかわらず、従来のバインディングクリップと同じ弾性力の部材で、より小さな力でも圧迫部を簡単に開放できることを特徴とするバインディングクリップを提供できるようになる。
【発明の効果】
【００１１】
本発明のフォルダ型バインディングクリップを使用すると、押さえハンドルピンのサイズを大幅に減らすことができ、書類の閲覧または書類の保管時に引っかかる問題を解決することができ、従来のクリップのヒンジを本体末端の当接部より除去することで、従来のフォルダクリップのヒンジ端に紙が当たりシワが生じたり破れたりする問題を軽減することができるようになる。
【００１２】
前記のように、従来のバインディングクリップは本体とハンドル部材の締結部と言えるヒンジが加圧当接部に形成されており、テコの原理によって、作用点と支点間の距離が遠く、それによって力点が位置したハンドルピンとの距離もその分遠くなるしかない構造であったのに対し、本発明のバインディングクリップはハンドルピンの長さが従来方式より短くなり、特に、使わない時は内部に挿入されるので、使用と保管の利便性が増加される。
【００１３】
また、従来のバインディングクリップに比べ製造工程が増えたり追加されたりすることがほとんどないため、製造コストの上昇要因がなく経済的である。
【００１４】
また、本発明を適用した場合、紙に接触する部分のヒンジ構造が消えるので、当接部の形状を円形、楕円形、三角形、正方形、ハート形、波状など、様々な形態に加工できるようになって、デザイン面よりも商品性が高まる効果を期待することができる。
【００１５】
本発明では、ハンドル部材を従来の一般的な金属製ピンだけではなく、板材型材料を使用して作成することができ、デザインと利便性の面においてユーザーの好みを満足させることができる。
【図面の簡単な説明】
【００１６】
【図１】本発明のクリップの基本構造として、中央を切開してから両方で上向き式スライディングラッチを形成し、押さえ部材のピンを適用した斜視図である。
【図２】本発明のクリップの基本構造として、中央を切開してから両方で下向き式スライディングラッチを形成し、押さえ部材のピンを適用した斜視図である。
【図３】本発明のクリップ構造として、前記の図2で記述された構造のヒンジ部の締結構造を示す詳細図である。
【図４】本発明のクリップ構造で、本体加圧面の両側面上に独立して切開された上向き式スライディングラッチを形成し、押さえ部材のピンを適用した斜視図である。
【図５】本発明のクリップ構造で、本体上部の両側面上に独立して切開された下向き式スライディングラッチを形成し、押さえ部材のピンを適用した斜視図である。
【図６】本発明の図5に示されているクリップの変形構造として、スライディングラッチの切開位置を変えた方式の斜視図である。
【図７】本発明のクリップ本体の紙の当接部を内部に丸め処理とした方法の斜視図である。
【図８】本発明のスライディングラッチをクリップ本体の両側に形成した方式の斜視図である。
【図９】押さえ部材で適用可能な挿入型のピンハンドル部材の適用可能な例を示した斜視図である。
【図１０】従来の一般的なフォルダ型バインディング、クリップの斜視図である。
【発明を実施するための形態】
【００１７】
前記の目的を達成するための第1の手段は、弾性の細長い金属板で作られているクリップボディとして、決まった長さの金属板材の中央部13を基準に左右対称的に2個以上の屈曲部12を形成して、二等辺三角形の形状に曲がった加圧面14が互いに当たるように曲げた後、これらの両端の先端15を弾性的に接触させ、これらの間に紙を挟み込めば、弾性圧力によって固定できるようにする圧迫当接部15が構成されなければならないし、これらの中央屈曲部12と圧迫当接部15との間でハンドル部材（20または40）が挿入されて、水平移動ができるように切開と曲げ加工によって作られる締結部30が含まれなければならないし、前記の圧迫当接部を広げるための二つの分離されるハンドル部材（20または40）が締結部30に挿入されて上下に動くことによって、突出と挿入ができるように作られることを特徴とする。
【００１８】
第2の手段は、本体中央部より両端の方向に対称的に形成される弾性屈曲部として、末端の圧迫当接部15の弾性力を高めるために二つ以上が形成されなければならないし、対称となる両弾性屈曲部の間隔は、紙の最大挿入厚さに相当する幅だけ維持されなければならないし、両端部の内側接触角αは90°以内になるように弾性屈曲部12の内角を適切に変形なければならないし、弾性強度をより効果的に維持するために、両方の弾性屈曲部間で追加的な屈曲部を形成することもできる。この時、ハンドル部材20がテコの原理によって締結部を持ち上げると接触される支点の位置は、弾性屈曲部の外側表面または屈曲部上の切開された溝に形成される。
【００１９】
第3の手段は、ハンドル部材として本体と分離される剛性の高いピンまたは板材を曲げて作られて、本体の両側加圧面14上に切開及び曲げによって形成されている締結部30のスライディング溝またはスライディングラッチに装着されることで、ユーザーが押し引きする手動操作によって突出と挿入を簡単に繰り返すことができ、突出時には指の圧力によって締結部を持ち上げるテコの役割ができるように作られなければならない。
【００２０】
第4の手段は、本発明の目的に合致する適切なサイズと形状のハンドル部材として、スライディング操作によって挿入時にはハンドル部材の下端22が本体の圧迫当接部15まで下がり、ハンドル部材の上端部20は本体の曲げ弾性部の外側にあまり突出しないようにハンドル部材の下端部より上端部21の間の長さが本体の圧迫当接部15の末端と屈曲部の上端12までの長さに比べ30％を超えないことが望ましく、ハンドル部材を突出させた時にハンドル部材の下端22が締結部の下端33に引っかかり簡単に離脱しないように先端が曲がっているか、引っかかり段差が形成されることを特徴とする。
【００２１】
第5の手段は、前記の目的を達成するために、両側圧迫面14の中央上端に形成される締結部30として、当接部と弾性屈曲部との間の中間点より上側、すなわち弾性屈曲部に近くなるように設置されなければならないし、中心点を基準に左右両側に11字形で平行に並べることで、ハンドル部材が溝または円筒形の穴に沿って上・下に移動できるようにスライディング溝またはスライディングラッチの形態に加工しなければならない。この時、スライディング溝またはラッチの湾曲方向は締結のデザインによって上向きまたは下向き式に選択可能で、ピボットの設置方向も内側より外側に向かって形成されることもあれば、逆に外側より内側に形成されることもある。また、ハンドル部材をスライディング溝やスライディングラッチに容易に装着するために、加圧面上に曲げをする時はハンドル部材を挿入できるよう開口部の隙間を残して置いて、組み立て過程でハンドル部材をヒンジの上端部35よりヒンジの下端部33に向かって決まった圧力で押し入れると、弾性によって簡単に挿入できるようにして、装着された後はハンドル部材が締結部より離脱されることを防止するために、ヒンジ中間部34またはヒンジ下端33に引っかかり段差を設置することで問題を解決することができる。
【００２２】
前記の本発明の目的を実現するための手段の実施形態について、図面を参照し、より具体的に説明すると、次の通りである。
【００２３】
図１から図６に図示された実施形態は押さえ部材としてピンを使用したもので、本体の締結部を構成するスライディングラッチまたはスライディング溝の曲げ方向と曲げサイズによって外形と構造を少しずつ変形させたが、作動方式には大きな差はない。
【００２４】
本発明のバインディングクリップを構成する材料は、大きく二つの部分に分けられるが、弾性の強い金属材料のような板材を曲げて作られた本体10と、強度の高い金属材のピンのような材質のハンドル部材20から構成されている。
【００２５】
本体10は、ボディ中央部11を基準に決まった間隔をおいて同じ両方向に曲げて、中央弾性部12を形成し、ここで決まった傾斜角で勾配が成された加圧面14を経て、弾性力によって強く密着されている一対の紙当接部または加圧当接部15が曲げ加工によって形成されている。当接部15の先端は、紙を挿入したときに当接力を向上させるために少しの平坦面を置いたり、または丸め処理を施したりすることもできる。また、従来のクリップ構造では、この部分がヒンジ形態のピボット結合部でいつも固定されていたが、本発明ではピンの締結部30が圧力部14の中央に位置が変わることによって、様々な形態の加工が可能になったし、製品のデザインを変化させることができるようになった。
【００２６】
ボディの中央部11は、熱処理工程と曲げ過程で弓のように曲がるようになるが、平らな状態に戻って行こうとする復元力によって紙を強く押す力を発生させ、ボディ中央部の両側に対称的に形成された二つの集中弾性部12の場合は、逆に内側にもっと曲がる方向に復元力が作用し、紙の当接力を増加させる。この時、両端の当接部15が合って成される接触角αは、必ず90°以下ではなければならないし、望ましくは30〜80°の範囲であることが安定した構造を作るに有利である。
【００２７】
加圧面14上に切開されて両側に並んで形成された11字形の締結部30には、強度の高い金属線または同じ機能を行える剛性材料で作られたハンドル部材20が挿入され、上・下にスライディングするようになっているが、図1のような締結部を形成するためには加圧部14の中央上部の地点にH字を90°回転させた形状に切開した後、両側面に切断部を巻き上げることで簡単に形成が可能で、更訂の最後段階にハンドル部材を挿入する時は、スライディング溝のヒンジ上端部35で下端部33の方向に適切な力で押し入れると容易に装着が可能である。この時、ハンドル部材が使用中に締結部より離脱されることを防止するために、図1及び図3に示すように、スライディングラッチのヒンジ中央部34または下端部33に微細な離脱防止段差35を作るか、同じ機能ができるように適切な形状加工を行うことで、問題を解決することができる。
【００２８】
このような結合部の構造は、他の図面の例示でも同様に適用可能である。
【００２９】
図1のように構成されたフォルダ型クリップで紙を挿入し固定する場合、ハンドル部材20の上端を上側に引き上げると、ハンドル部材の下端22は締結部の下端33と接触されるまでスライディングされて突出するようになるが、最後まで突出された上側と下側のハンドル部材の上部（21、23）を指で持って押すことによって、紙を挿入するために必要な分の当接部の間隔を確保できるようになる。
【００３０】
図2の実施例では、締結部の切開および曲げは図1の実施例と類似しているが、締結部のスライディングラッチの屈曲およびハンドル部材の位置が下向き式に形成されることで、クリップを使用時に締結部の変形を減らせる長所がある。但し、書類を挿入した状態で、ハンドル部材20が紙と互いに当たらず無難にスライディングされるためには、書類の当接面と締結部との間にハンドル部材が設置される空間が必要であるが、これを解決するために加圧当接部の上側に屈曲部16を形成させなければならない。図2のような実施例はピンが内部に隠されるので、書類を積み重ねる時にクリップ同士で引っかかる問題が減って、外見上にも綺麗になる利点があるが、図1の実施例に比べては切開部分の形状加工がやや複雑になる欠点がある。
【００３１】
図3は、前述した図2のスライディングラッチでハンドル部材の離脱防止のためにヒンジ下端部に段差を形成させた様子を示したものである。
【００３２】
図4の実施例は、図1に示すように、ハンドル部材を上向き式に露出させた例示の一つとして、本体に締結部を形成するために、図1に示すように、加圧部14の中間を両脇に切開せず、決まった間隔を置き加圧面上に「コ」字形の切開部を両側に対称的に形成した方法である。中央弾性部の中央部分が下側の加圧当接部15と分離されなく接続されているので、図1または図2の実施例よりもっと強い弾性力を維持することができ、クリップのサイズが比較的に大きく、切開部の面積が十分である場合に適した方式である。
【００３３】
図5と図6の実施例は、前述した図2と図3のように、下向き式にハンドル部材が設置された方式とか加圧面14の中間を横たえたH字形に切開することなく、決まった間隔を置いて加圧面上に「コ」字形の切開部を両側に対称的に形成した方法である。前記のように、図2の実施例よりもっと強い弾性力を維持することができ、クリップのサイズが比較的に大きく、切開部の面積が十分な場合に適した方法である。
【００３４】
図7は加圧当接部の内側に曲面処理した構造として、ハンドルピンを内部に挿入した時、ピンの先端によって紙に傷が付いたり、紙の当接部によって触れる部分が損傷されたりすることを防止できる構造で、挿入時にピンの長さをもっと確保できる長所がある。
【００３５】
図8はクリップ本体の幅が狭いため内側にスライディングラッチを形成し難い場合、側面に突出されるように形成する方式の例として、従来のバインディングクリップのように紙が挿入された時、紙に当たる面が滑らかであるため、紙の損傷を防止できる長所がある。
【００３６】
図9はピン材質のハンドル部材のいくつかの実施例を示したものである。ハンドル部材の末端22はハンドル部材が使用中に離脱されることを防止できるように少しの屈曲を与えた方が望ましく、屈曲の代わり先端に凹凸を形成させることも可能である。
【００３７】
本発明の具体的な内容と原理は、図面に例示されている特定の実施例を通じ、簡単に説明ができるところ、これは本発明の思想及び技術範囲が図面に示されている実施形態のみについ対して限定されるものではないことを意味し、発明の原理が含まれて変形されたり応用されたりして実施される全ての対象にも適用されると見るべきである。
【符号の説明】
【００３８】
10：クリップボディ
11：ボディ中央部
12：弾性屈曲部
13：中央弾性部
14：加圧面
15：紙当接部
16：紙当接部の屈曲部
17：ハンドル部材の受け部
18：内側方向の屈曲型当接部
20：ハンドルピン
21：ハンドルピンの上端角
22：ハンドル部材の下端
23：ハンドルピンのボディ(シャフト)
30：締結部
31：切開部の上端
32：切開部の下端
33：ヒンジの下端部
34：ヒンジの中間部
35：ヒンジの上端部
36：切開部の下端
37：切開部の上端
α：両端の圧迫当接部の内側接触角
【図１】
2018024233.tif 000003
【図２】
2018024233.tif 000004
【図３】
2018024233.tif 000005
【図４】
2018024233.tif 000006
【図５】
2018024233.tif 000007
【図６】
2018024233.tif 000008
【図７】
2018024233.tif 000009
【図８】
2018024233.tif 000010
【図９】
2018024233.tif 000011
【図１０】
2018024233.tif 000012